(57)【要約】【課題】  着用時の窮屈感がなく、神社などのある程度の改まった場所へ出向くときの外出着や道行き着としても違和感がなく、靴履きに似合って、脱着が背広並に容易な和洋装衣を提供する。【解決手段】  パンツ１０と上着３０とベスト５０との組み合わせでなり、それらをウール素材のスーツ生地で作っている。パンツ１０は、腰回り部２０に、背部に腰板１７が立ち上がった幅広の腰バンド１２が縫着されている。二股状の股下部２２が、裾口に近づくほど細くなって左右の足首に達する長さを有している。上着３０は左右の前身頃３３が重なり合う着物類似形状に形成してある。ベスト５０は、袖無し羽織形に形成してあり、左右の前身頃５３に、羽織紐６０をつなぐための乳付け５４が備わっている。【選択図】        図１
0003109095.tif 000002
【実用新案登録請求の範囲】
【請求項１】
下半身に着用するパンツと、上半身に着用する上着と、上着の上に着用するベストとの組み合わせでなり、かつ、それらのパンツ、上着及びベストが、ウール素材のスーツ生地で作られており、
上記パンツは、前開きを有する腰回り部に、背部に腰板が立ち上げられた幅広の腰バンドが縫着され、その腰回り部につながって左右の足を覆う二股状の股下部が、裾口に近づくほど細くなって少なくとも左右の足首に達する長さを有していると共に、上記腰回り部の左右両側部位に、弾力性を持った伸縮部とこの伸縮部の伸長幅を制限する締付けバンドとが備わり、かつ、上記腰回り部の背面腰部から臀部に亘って着用時のゆとりを形成するためのダブルタックが形成されてなり、
上記上着は、左右の袖を備える身頃が互いに分離された左右の前身頃を有していると共に、その身頃に設けられた衿が身頃の衿肩明きから左右の前身頃の少なくとも中間部まで延び、かつ、左右の前身頃は、上記衿が交差する形態で重なり合う形状に形成されており、
上記ベストは、袖を有しない身頃に設けられた衿が身頃の衿肩明きから左右の前身頃の裾まで延びた羽織形に形成されていると共に、左右の前身頃に、羽織紐をつなぐための乳付けが備わっていることを特徴とする和洋装衣。
【請求項２】
上記パンツの股下部が、左右の足の甲に達する長さを有している請求項１に記載した和洋装衣。
【考案の詳細な説明】
【技術分野】
【０００１】
本考案は和洋装衣、詳しくは和装衣と洋装衣とが渾然として、背広や和式着物の代わりに室内着や外出着として着用することに適する和洋装衣に関する。
【背景技術】
【０００２】
洋装衣、特に紳士服などの男性用背広の下衣はパンツ又はズボンと通称されていて、腰回り部に前開き式の腰バンドが一体に縫着され、その腰バンドのベルト通しに通したベルトを締めるようになっている。また、腰回り部の腰バンドと二股部との間に前開き（前立て）が形成され、さらに、腰回り部の左右の側部には一般的にポケットが形成されている。このような背広の下衣は脱着が容易であるために日常的に着用するには便利であるけれども、主に外出着として用いられるために人体の下半身に比較的フィットするような仕立てになっていて、室内着として着用すると窮屈感を免れない。
【０００３】
これに対し、和装衣、その中でも袴は、左右両側が開き、前紐と後ろ紐とによって身体の腰部を締め、後ろ紐の背側に腰板と称される立上り部が備わっていて下半身にゆったりと装用することができるようになっている。しかし、袴は脱着が難しくて誰でもが手軽に着用できるというものではないなどの理由から現代では使用機会が限られているものの、神社などに出向くときの外出着として、あるいは、正装が要求される場所では多用されている。一方、禅宗僧侶の作業衣である作務衣が一般に普及しつつあるけれども、この作務衣は身体への締付け感がないので室内着としては便利であるけれども、外出着として着用するには違和感がある。したがって、作務衣を外出着に用いることはほとんどない。
【考案の開示】
【考案が解決しようとする課題】
【０００４】
本考案は以上の状況に鑑みてなされたもので、作務衣と同様に身体への締付け感がそれほど強くなくて着用時の窮屈感がなく、また、神社などのある程度の改まった場所へ出向くときの外出着や道行き着としても違和感がなく、また、脱着が背広並に容易な和洋装衣を提供することを目的とする。
【課題を解決するための手段】
【０００５】
本考案に係る和洋装衣は、下半身に着用するパンツと、上半身に着用する上着と、上着の上に着用するベストとの組み合わせでなり、かつ、それらのパンツ、上着及びベストが、ウール素材のスーツ生地で作られている。
【０００６】
そして、上記パンツは、前開きを有する腰回り部に、背部に腰板が立ち上げられた幅広の腰バンドが縫着され、その腰回り部につながって左右の足を覆う二股状の股下部が、裾口に近づくほど細くなって少なくとも左右の足首に達する長さを有していると共に、上記腰回り部の左右両側部位に、弾力性を持った伸縮部とこの伸縮部の伸長幅を制限する締付けバンドとが備わり、かつ、上記腰回り部の背面腰部から臀部に亘って着用時のゆとりを形成するためのダブルタックが形成されてなる。
【０００７】
また、上記上着は、左右の袖を備える身頃が互いに分離された左右の前身頃を有していると共に、その身頃に設けられた衿が身頃の衿肩明きから左右の前身頃の少なくとも中間部まで延び、かつ、左右の前身頃は、上記衿が交差する形態で重なり合う形状に形成されている。
【０００８】
さらに、上記ベストは、袖を有しない身頃に設けられた衿が身頃の衿肩明きから左右の前身頃の裾まで延びた羽織形に形成されていると共に、左右の前身頃に、羽織紐をつなぐための乳付けが備わっている。
【０００９】
なお、上記パンツの股下部が、左右の足の甲に達する長さを有しているものであってもよい。
【００１０】
この構成の和洋装衣によると、冬場の寒い時期や夏場の暑い時期にパンツと上着とベストとのうちのベストを取捨選択して着用することが可能であるという利便性を持つ。特に、パンツと上着とベストとが、ウール素材のスーツ生地で仕立てられていることによって高級感を備えるに至るので外出着として着用することに馴染み、冒頭で説明した作務衣のように外出着として馴染まないというような事態が起こらない。そのため、神社仏閣やビルディング内の会社などの改まった場所での装衣や道行き着として違和感なく着用することができるようになる。
【００１１】
また、この和洋装衣では、パンツが、前開きを有する腰回り部に、背部に腰板が立ち上げられた幅広の腰バンドが縫着され、その腰回り部の左右両側部位に、弾力性を持った伸縮部とこの伸縮部の伸長幅を制限する締付けバンドとが備わり、さらに、腰回り部の背面腰部から臀部に亘って着用時のゆとりを形成するためのダブルタックが形成されているので、楽に着たり脱いだりすることができるだけでなく、幅広の腰バンドが和装衣としての袴に見られるような前紐や後ろ紐として観念されたり、腰バンドの腰板が上記袴の腰板として観念されたりするものでありながらも、腰回り部が前開きを有することから背広パンツであるという観念も思い起こされる。したがって、和装衣としての袴と洋装衣としての背広パンツとの両方の観念を完全に消失させることなく、袴として見ることも背広ズボンとして見ることもできるようになる。その結果、背広のように楽に脱着することができ、また、パンツ着用時の窮屈感を感じないにもかかわらず、神社仏閣や茶会などの改まった場所、あるいは、ビルディングなどに出向くときに不備路や着物の代わりに着用することが可能になる。その上、腰回り部につながって左右の足を覆う二股状の股下部が、裾口に近づくほど細くなって少なくとも左右の足首に達する長さを有しているので、草履に限らず、靴を履いても違和感がなくなり、背広着用時と同様に靴と組み合わせて違和感なく着用することができる。
【００１２】
さらに、上着が上記構成を備えているため、その上着があたかも和式着物の上半部に似た外観になり、その上、ベストが所謂袖無し形になっていて、左右の前身頃に、羽織紐をつなぐための乳付けが備わっているので、そのベストが和式着物の上に羽織った羽織のように見え、神社や茶会などの改まった場所に出向くときの道行き着や外出着として違和感なく着用する上で好都合である。
【考案の効果】
【００１３】
本考案に係る和洋装衣によれば、全体としてゆったりとした感じて着用することができる上、着脱も楽に行なえるので、作務衣と同等の着脱性や着用感が得られるにもかかわらず、背広や和式着物の代わりに外出着として使用しても違和感を生じないという利点がある。その上、靴や草履を履いて着用しても違和感を生じないので、背広や和式着物の代わりに着用することにも適している。
【考案を実施するための最良の形態】
【００１４】
図１は本考案の実施形態に係る和洋装衣を示した説明図、図２はパンツの要部を説明的に示した部分斜視図である。
【００１５】
図１において、１０はパンツで、身体の下半身に着用する。３０は上着で、身体の上半身に着用する。５０はベストで、上着３０の上に羽織ったりする。
【００１６】
パンツ１０は、外観は背広ズボンの基本形状、すなわち前開き２１を有する腰回り部２０に、左右の足を覆う二股状の股下部２２，２２がつながっているという基本形状に形成されている。背広ズボンでは、腰回り部２０に前開き式の幅狭腰バンドが縫着されているのであるけれども、この実施形態では、幅広の腰バンド１２を腰回り部２０の上端に縫着することによって、背広ズボンの幅狭腰バンドを幅広の腰バンド１２で置き換えている。
【００１７】
図２に詳細に示したように、腰バンド１２の前開き箇所の片側端部１２ａと他側端部１２ｂとに、互いに着脱可能な止部１４ａと受部１４ｂとが振り分けて上下複数段（図例では上下２段）に亘って設けられている。図例では、止部１４ａが菊花模様のような和装飾を施したボタンでなり、受部１４ｂがそれらのボタンに対して各別に形成されたボタン掛り孔でなる。なお、止部１４ａと受部１４ｂには、ボタンとボタン掛り孔との組み合わせのほか、面状ファスナーやフックなどを採用することが可能である。
【００１８】
腰バンド１２の左右両側部位には、ゴムバンドなどの弾性材を包み込むことによって形成された弾力性を持つギャザーなどの伸縮部１５と、この伸縮部１５の伸長幅を制限する締付けバンド１６とが備わっている。図例の締付けバンド１６は、伸縮部１５の前側に縫着された偏平な前側布平紐１６ａと、伸縮部１５の後側に縫着されて先端にクランプ金具１６ｃを備えた後側布平紐１６ｂとに分割されていて、前側布平紐１６ａをクランプ金具１６ｃに通して扱くことにより締付けバンド１６の全長を任意の長さに調節することができるものである。したがって、この締付けバンド１６の長さを調節することによって上記伸縮部１５の伸長幅を制限することができる。
【００１９】
さらに、腰バンド１２の背部には、上向きに立ち上がった台形状の腰板１７が一体に連設されている。この腰板１７は、冒頭で説明した袴に備わっている腰板に似せて形成してある。
【００２０】
腰回り部２０の前開き２１は、背広ズボンに備わっている前開きと同様のものであって、前開き２１の片側片部２１ａと他側片部２１ｂとに線状ファスナ２３を形成している一対の係止条２３ａ，２３ｂのそれぞれが各別に縫着されている。さらに腰回り部２０の左右側部にポケット２４，２４が形成されているほか、腰回り部２０には、腰バンド１２の腰板形成箇所の下側部位の左右両側に、背面腰部から臀部に亘るダブルタック２５が形成されて着用時のゆとりを形成している。また、前開き２１の左右両側にプリーツ２５が折返し形成されている。
【００２１】
ここで説明したパンツ１０では、背広パンツの腰バンドの代わりに、それよりも幅寸法の長い幅広の腰バンド１２を用いていて、その幅広腰バンド１２の背部に和装衣としての袴に見られる腰板１７を形成してあるのに対し、基本形状が洋装衣としての背広パンツと同様になっている。そのため、和装衣としての袴と洋装衣としての背広パンツとが渾然となったものとして観念される。言い換えると、和装衣としての袴と洋装衣としての背広パンツとの両方の観念を完全に消失させることなく、袴として見ることも背広ズボンとして見ることもできるようになる。そのため、神社や茶会などの改まった場所に出向くときの道行き着や外出着として違和感なく着用することが可能になる。その上、腰回り部２０の前後に左右対称に２条ずつ設けたプリーツ２６やダブルタック２５が、袴に備わっている前襞や背広ズボンに備わっているプリーツに見立てられるために、当該パンツ１０が、袴に似ているパンツ、あるいはパンツに似ている袴として観念されるようになる。
【００２２】
また、腰バンド１２が前開き式であるので、脱着が背広パンツ並に容易になり、併せて、背広パンツと同等の機能性を備えている。特に、腰バンド１２が左右の伸縮部１５と締付けバンド１６とを備えているので、脱着の容易性がいっそう助長され、併せて、締付けバンド１６によって着用後のパンツ１０のずれや形崩れを防止できて、しかも窮屈感も感じなくなるという利点もある。したがって、このパンツ１０を備えた和洋装衣は、冒頭で説明した作務衣と同様に着用時のゆったり感を満たして窮屈感を解消し、併せて、背広パンツのような機能性や脱着性をも備えたものになる。
【００２３】
特に、この実施形態の和洋装衣のパンツ１０は、二股状の股下部２２，２２が、裾口に近づくほど細くなって少なくとも左右の足首、好ましくは左右の足の甲に達する長さを有している。
【００２４】
腰バンド１２は背広パンツの腰バンドよりも拡幅された布地で形成されているけれども、その腰バンド１２の前開き箇所は、上下複数段の止部１４ａと受部１４ｂとによって閉じ合わされるようになっているので、腰バンド１２の閉じ合わせ箇所が形崩れして見苦しくなるという事態は起こらない。この作用は、腰バンド１２の幅を７〜１０ｃｍ程度にした場合でも発揮されることを確認している。さらに、閉じ合わせ箇所では背広パンツと同等の外観や機能性が発揮されるようになり、開け閉めが容易であるだけでなく、開け閉めが繰り返されても形崩れを生じたりすることがない。また、左右のポケット２４によってポケット付きパンツと同等の機能性が発揮される。
【００２５】
上着３０は、左右の袖３１，３１を備える身頃３２が互いに分離された左右の前身頃３３，３３を有していると共に、その身頃３２に設けられた衿３４が身頃３２の衿肩明き３２ａから左右の前身頃３３，３３の中間部まで延びている。また、左右の前身頃３３，３３は、衿３４が交差する形態で重なり合う形状に形成されている。なお、衿３４は身頃３２の衿肩明き３２ａから左右の前身頃３３，３３の裾まで延びるように形成することも可能である。
【００２６】
ベスト５０は、袖を有しない身頃５１に設けられた衿５２が身頃５１の衿肩明き５１ａから左右の前身頃５３，５３の裾まで延びた羽織形に形成されている。また、左右の前身頃５３，５３に、羽織紐をつなぐための乳付け５４，５４が備わっている。
【００２７】
図３は靴Ｓと組み合わせて着用した状態の説明図、図４は羽織紐６０を用いた場合の説明図である。図３の着用状態では、身体の下半身にパンツ１０を着用し、上半身に着用した上着３０の裾をパンツ１０の中に入れ、上着３０の上にベスト５０を羽織っている。また、足には靴Ｓを着用している。図４のように、羽織紐６０は、ベスト５０の左右の前身頃５３，５３に備わっている乳付け５４，５４を利用して装用される。
【００２８】
図５は草履Ｚと組み合わせて着用した状態の説明図であり、この着用状態では、身体の下半身にパンツ１０を着用し、上半身に着用した上着３０の裾をパンツ１０の外に出し、上着３０の上にベスト５０を羽織っている。また、足には草履Ｚを着用している。
【００２９】
以上説明した和洋装衣において、パンツ１０と、上着３０と、ベスト５０とは、いずれもウール素材のスーツ生地、たとえば英国伝統のペンシルストライプ柄、ヘリンボン柄などのウール素材のスーツ生地で作られていて、パンツ１０と上着３０とベスト５０とにスーツ生地に特有の高級感を備え、そのことが和洋装衣の全体に落ちついたゆとり感をもたらし、外出着や道行き着として使用することに何ら違和感を生じないものとなっている。
【００３０】
以上から判るように、この和洋装衣は、全体としてゆったりとした感じて着用することができる上、着脱も楽に行なえるので、作務衣と同等の着脱性や着用感が得られるにもかかわらず、背広や和式着物の代わりに外出着として使用しても違和感を生じないという利点があるだけでなく、靴を履いて着用しても草履を履いて着用しても違和感を生じないので、道行き着としても好適に用いることができる。したがって、神社仏閣などの日本古来の場所に出向くときでも、近代的なビルディングに出向くときでも、違和感なく着用することができるものである。
【図面の簡単な説明】
【００３１】
【図１】本考案の実施形態に係る和洋装衣を示した説明図である。
【図２】パンツの要部を説明的に示した部分斜視図である。
【図３】靴と組み合わせて着用した状態の説明図である。
【図４】羽織紐を用いた場合の説明図である。
【図５】草履と組み合わせて着用した状態の説明図である。
【符号の説明】
【００３２】
１０  パンツ
１２  腰バンド
１５  伸縮部
１６  締付けバンド
１７  腰板
２０  腰回り部
２１  前開き
２２  股下部
２５  ダブルタック
３０  上着
３１  袖
３２  身頃
３２ａ  衿肩明き
３３  前身頃
３４  衿
５０  ベスト
５１  身頃
５１ａ  衿肩明き
５２  衿
５４  乳付け
６０  羽織紐
【図１】
0003109095.tif 000003
【図２】
0003109095.tif 000004
【図３】
0003109095.tif 000005
【図４】
0003109095.tif 000006
【図５】
0003109095.tif 000007